(57)【要約】      （修正有）【課題】画素ずれがなく解像度性能の良好なプロジェクターを提供する。【解決手段】Ｇ光を偏光選択素子３２ｇで反射するように反射型光変調装置２５ｂを配置し、Ｒ光、Ｂ光をそれぞれ偏光選択素子３２ｒ、３２ｂを透過するように反射型光変調装置２５ａ、２５ｃを配置し、Ｒ光、Ｂ光用にトロイダルレンズ２８ｂ、２８ｒを配置する。【選択図】図１
2012220598.tif 000002
【特許請求の範囲】
【請求項１】
光源と、
前記光源からの光束を波長帯域の異なる第１、第２及び第３色光に分離する色分離導光光学系と、
前記第１、第２及び第３色光をそれぞれ画像情報に応じて変調する第１、第２及び第３の反射型光変調装置と、
前記第１、第２及び第３の反射型光変調装置からの光のうち画像光として投射する光をそれぞれ選択的に通過させる第１、第２及び第３の偏光選択素子と、
前記第１及び第３の偏光選択素子からの画像光が通過する非点収差補正用レンズと、
前記第１、第２及び第３の色光の画像光を合成する合成光学系と、
前記合成光学系を経た像光を投射する投射光学系と、
を備え、
前記第２色光の画像光を前記第２の偏光選択素子で反射するように前記第２の反射型光変調装置を配置し、
前記第１及び第３色光の画像光を前記第１及び第３の偏光選択素子を透過するように前記第１及び第３の反射型光変調装置を配置したことを特徴とするプロジェクター。
【請求項２】
前記第１色光及び第３色光が赤色光及び青色光であり、
前記第２の偏光選択素子で画像光が反射するように配置した前記第２の反射型光変調装置が変調する第２色光が緑色光である、請求項１に記載のプロジェクター。
【請求項３】
前記非点収差補正レンズは、前記第１の偏光選択素子からの画像光が透過する非点収差補正レンズと、前記第３の偏光選択素子からの画像光が透過する非点収差補正レンズとが、それぞれ違った形状である、請求項１又は請求項２のいずれか一項に記載のプロジェクター。
【請求項４】
前記非点収差補正レンズは、トロイダルレンズ、シリンドリカルレンズ、及び自由曲面レンズのいずれかである、請求項１〜３のいずれか一項に記載のプロジェクター。
【請求項５】
前記第１、第２及び第３の偏光選択素子は、複屈折構造体を設けた平板状の光学素子である、請求項１〜４のいずれか一項に記載のプロジェクター。
【発明の詳細な説明】
【技術分野】
【０００１】
本発明は、反射型の空間光変調素子を用いた投射型表示装置に関する。
【背景技術】
【０００２】
従来、空間光変調素子として反射型液晶素子を用いたプロジェクターに適用される偏光素子には、ガラス面上に多層干渉膜で形成された偏光ビームスプリッターが用いられることが一般的であった。近年、これに代わるものとしてワイヤーグリッド型ＰＢＳ（偏光板）が開発され、プロジェクターの光学エンジンに搭載され始めており、このワイヤーグリッド偏光素子または、これを用いたプロジェクターの提案がなされている（特許文献１参照）。
【先行技術文献】
【特許文献】
【０００３】
【特許文献１】特開２００８−１３９３８９号公報
【発明の概要】
【発明が解決しようとする課題】
【０００４】
ワイヤーグリッド型ＰＢＳを偏光ビームスプリッター（ＰＢＳ）として用いる場合、光束の入射方向に対して偏光分離面を４５度に傾斜して光路中に配置する。
このように配置されたワイヤーグリッド型ＰＢＳにて反射型液晶素子により変調された光を偏光分離する場合には、変調された画像光が反射するように配置して用いるのが一般的である。
【０００５】
しかし、このように画像光をワイヤーグリッド型ＰＢＳで反射させるように配置した構成において、３個の反射型液晶素子により変調された画像光をスクリーン上に合成してフルカラー投影する場合には、３色の画像を高精度に位置調整する必要があるが、ワイヤーグリッド型ＰＢＳの偏光分離面の変形によって、容易に画素ずれが生じてしまうという問題があった。
【０００６】
一方、反射型液晶素子により変調された画像光を透過するようにワイヤーグリッド型ＰＢＳを用いる場合には、変調光の入射方向に対してワイヤーグリッド型ＰＢＳのガラス基板を空気中に４５度に配置するために、画像光がワイヤーグリッド型ＰＢＳを透過するときに大きな非点収差が発生し、投射レンズによるスクリーン上の投影画像の解像度性能が大きく劣化するという問題があった。
【０００７】
この問題を解決するため、特許文献１に示されるように、この非点収差を補正するシリンドリカルレンズを色合成プリズムの射出面に配置する提案がなされている。しかしながら、３色の光を合成後に補正することになるため、色収差を補正することが出来なかった。
【０００８】
本発明は、スクリーン上に投影される画像の解像度劣化を抑制及び画素ずれを少なくしながら色収差を補正できるプロジェクターを提供することを目的とする。
【課題を解決するための手段】
【０００９】
本発明は、上述の課題の少なくとも一部を解決するためになされたものであり、以下の形態または適用例として実現することが可能である。
【００１０】
上記課題を解決するため、本発明に係るプロジェクターは、光源と、光源からの光束を波長帯域の異なる第１、第２及び第３色光に分離する色分離導光光学系と、第１、第２及び第３色光をそれぞれ画像情報に応じて変調する第１、第２及び第３の反射型光変調装置と、第１、第２及び第３の反射型光変調装置からの光のうち画像光として投射する光をそれぞれ選択的に通過させる第１、第２及び第３の偏光選択素子と、第２及び第３の偏光選択素子からの画像光が通過する非点収差補正用レンズと、第１、第２及び第３の色光の画像光を合成する合成光学系と、合成光学系を経た像光を投射する投射光学系と、を備え、第２色光の画像光を前記第２の偏光選択素子で反射するように第２の反射型光変調装置を配置し、第１及び第３色光の画像光を第１及び第３の偏光選択素子を透過するように第１及び第３の反射型光変調装置を配置したことを特徴とする。
【００１１】
上記プロジェクターによれば、第２の反射型光変調装置からの画像光を第２の偏光選択素子で反射するように第２の反射型光変調装置を配置しているため、第２色光の画像光は非点収差を生じることなく解像度性能の良い投影画像を得ることが出来る。また、第１及び第３の反射型光変調装置からの画像光が第１及び第３の偏光選択素子を透過するように第１及び第３の反射型光変調装置を配置しているため、第２の反射型光変調装置を基準にして画素ずれを生じないように容易に第１及び第３の反射型光変調装置の位置を調整することが可能となる。さらに、第１及び第３の偏光選択素子からの画像光が通過する光路に非点収差補正用レンズを配置しているため、非点収差の補正と共に色収差の補正も可能となる。
【００１２】
上記プロジェクターにおいて、第１色光及び第３色光が赤色光及び青色光であり、第２の偏光選択素子で画像光が反射するように配置した第２の反射型光変調装置が変調する第２色光が緑色光であることが好ましい。
【００１３】
上記プロジェクターによれば、緑色光の画像光を偏光選択素子で反射するため、緑色光の画像光に非点収差が全く発生しないことになり、これによって、非点収差補正レンズを使用する他の光路に比べて解像度性能が向上する。緑色光は赤色光、青色光と比較して視感度が強いため、全体的な解像度性能を向上させる効果を得ることが可能となる。
【００１４】
さらに、非点収差補正レンズは、第１の偏光選択素子からの画像光が透過する非点収差補正レンズと、第３の偏光選択素子からの画像光が透過する非点収差補正レンズとが、それぞれ違った形状であることが好ましい。
【００１５】
上記プロジェクターによれば、それぞれ違った形状の第１色光の画像光が通過する非点収差補正レンズと第２色光が通過する非点収差補正レンズとによりそれぞれの色光にそれぞれ異なった影響を与えることが出来るという効果により、非点収差補正効果に加えて色収差の補正効果が得られ、投影画像の解像度性能を改善すると同時に画素ずれも改善することが可能となる。
【００１６】
さらに、上記プロジェクターにおいて、非点収差補正レンズはトロイダルレンズ、シリンドリカルレンズ、及び自由曲面レンズのいずれかであることが好ましい。
【００１７】
上記プロジェクターによれば、トロイダルレンズ、シリンドリカルレンズ、及び自由曲面レンズの効果により、非点収差補正効果が得られ、投影画像の解像度性能を改善することが可能となる。第１色光の画像光が通過するトロイダルレンズの曲率と第２色光が通過するトロイダルレンズの曲率とを違ったものにすることで色収差補正も容易に可能となる。
【００１８】
さらに、上記プロジェクターにおいて、第１、第２及び第３の偏光選択素子は、複屈折構造体を設けた平板状の光学素子であることが好ましい。
【００１９】
ここで、複屈折構造体を設けた平板状の光学素子とは、構造性複屈折を利用した偏光素子を意味し、具体的にはワイヤーグリッド型ＰＢＳ（偏光板）、積層型フォトニック結晶偏光板等を含む。ワイヤーグリッド型ＰＢＳ（偏光板）等は、温度等の使用環境に対して安定性が高く、比較的低コストで信頼性を高めることができる。
【図面の簡単な説明】
【００２０】
【図１】第１実施形態に係るプロジェクターの光学系の構成を説明する図である。
【発明を実施するための形態】
【００２１】
（第１実施形態）
図１は、本発明の第１実施形態に係るプロジェクターの光学系の構成を説明する図である。
【００２２】
本プロジェクター１０は、光源光を発生する光源装置２１と、光源装置２１から射出された光源光をＲＧＢの３色に分離する色分離導光光学系２３と、色分離導光光学系２３から射出された各色の照明光によって照明される光変調装置２５と、光変調装置２５から射出された各色の像光を合成するクロスダイクロイックプリズム２７と、クロスダイクロイックプリズム２７を経た像光をスクリーン（不図示）に投射するための投射光学系である投射レンズ２９とを備える。このうち、光源装置２１、色分離導光光学系２３、光変調装置２５、及びクロスダイクロイックプリズム２７は、スクリーンに投射すべき像光を形成する画像形成装置となっている。
【００２３】
以上のプロジェクター１０において、光源である光源装置２１は、光源ランプ２１ａと、凹レンズ２１ｂと、一対のフライアイ光学系２１ｄ，２１ｅと、偏光変換部材２１ｇと、重畳レンズ２１ｉとを備える。このうち、光源ランプ２１ａは、例えば高圧水銀ランプからなり、光源光を回収して前方に射出させる凹面鏡を備える。凹レンズ２１ｂは、光源ランプ２１ａからの光源光を平行化する役割を有する。光源ランプ２１ａの凹面鏡が、放物面である場合、凹レンズ２１ｂを省略することもできる。一対のフライアイ光学系２１ｄ，２１ｅは、マトリックス状に配置された複数の要素レンズからなり、これらの要素レンズによって凹レンズ２１ｂを経た光源ランプ２１ａからの光源光を分割して個別に集光・発散させる。偏光変換部材２１ｇは、フライアイ光学系２１ｅから射出した光源光を例えば図１の紙面に垂直なS偏光成分のみに変換して次段光学系に供給する。重畳レンズ２１ｉは、偏光変換部材２１ｇを経た照明光を全体として適宜収束させることにより、光変調装置２５に設けた各色の光変調装置に対する重畳照明を可能にする。つまり、両フライアイ光学系２１ｄ，２１ｅと重畳レンズ２１ｉとを経た照明光は、以下に詳述する色分離導光光学系２３を経て、光変調装置２５に設けられた各色の反射型光変調装置２５ａ，２５ｂ，２５ｃを均一に重畳照明する。
【００２４】
色分離導光光学系２３は、クロスダイクロイックミラー２３ａと、ダイクロイックミラー板２３ｂと、反射ミラー２３ｊ，２３ｋとを備え、波長帯域の異なる第１、第２及び第３色光（赤（Ｒ）光，緑（Ｇ）光，青（Ｂ）光）に分離し、光変調装置２５の対応する光路へ導く。クロスダイクロイックミラー２３ａは、入射した光のうち赤（Ｒ）光及び緑（Ｇ）光に対応する波長域の光を反射し青（Ｂ）光に対応する波長域の光を透過する第１ダイクロイックミラー部３１ａと、入射した光のうち赤（Ｒ）光及び緑（Ｇ）光に対応する波長域の光を透過し青（Ｂ）光に対応する波長域の光を反射する第２ダイクロイックミラー部３１ｂとを備える。ダイクロイックミラー板２３ｂは、入射した赤（Ｒ）光を透過し緑（Ｇ）光を反射する。
この色分離導光光学系２３において、光源装置２１からの略白色の光源光は、クロスダイクロイックミラー２３ａに入射する。クロスダイクロイックミラー２３ａを構成する一方の第１ダイクロイックミラー部３１ａで反射された赤（Ｒ）光は、反射ミラー２３ｊで反射されダイクロイックミラー板２３ｂを透過して、例えばＳ偏光のまま、光変調装置２５に設けられた反射型偏光板である偏光選択素子３２ｒに入射する。
【００２５】
一方、クロスダイクロイックミラー２３ａを構成する他方の第２ダイクロイックミラー部３１ｂで反射された青（Ｂ）光は、反射ミラー２３ｋで反射されて、例えばＳ偏光のまま、光変調装置２５に設けられた反射型偏光板である偏光選択素子３２ｂに入射する。
【００２６】
また、第１ダイクロイックミラー部３１ａで反射された緑（Ｇ）光は、反射ミラー２３ｊで反射されダイクロイックミラー板２３ｂでも反射されて、光変調装置２５に設けられた１／２波長板２６に入射する。
【００２７】
光変調装置２５は、反射型の空間光変調素子としての第１、第２及び第３の反射型変調装置２５ａ，２５ｂ，２５ｃと、１／２波長板２６と、反射型偏光板である第１、第２及び第３の偏光選択素子３２ｒ，３２ｇ，３２ｂと、第１、第２及び第３の偏光板であるクリーンアップ偏光板３４ｒ，３４ｇ，３４ｂとを備える。
【００２８】
各反射型光変調装置２５ａ〜２５ｃは、入射した照明光の空間的強度分布を変調する非発光反射型の光変調装置であり、各反射型光変調装置２５ａ〜２５ｃにそれぞれ入射した３色の光（赤（Ｒ）光，緑（Ｇ）光，青（Ｂ）光）は、各反射型光変調装置２５ａ〜２５ｃに電気的信号として入力された駆動信号或いは画像信号に応じて変調される。その際、偏光選択素子３２ｒ，３２ｇ，３２ｂによって、各反射型光変調装置２５ａ，２５ｂ，２５ｃに入射する照明光の偏光方向が調整されるとともに、各反射型光変調装置２５ａ，２５ｂ，２５ｃから射出される変調光から所定の偏光方向の成分光が画像光として取り出される。この際、クリーンアップ偏光板３４ｒ，３４ｇ，３４ｂによって、偏光選択素子３２ｒ，３２ｇ，３２ｂの射出側の消光比を高めることができ、画像光のコントラストを向上させることができる。
【００２９】
色分離導光光学系２３で赤（Ｒ）光路ＯＰ１に導かれたＳ編光は、偏光選択素子３２ｒで反射され、反射型光変調装置２５ａを照明する。反射型光変調装置２５ａでは、画像情報に応じて変調した光を反射する。その後、反射型光変調装置２５ａで変調された赤（Ｒ）光は、再び偏光選択素子３２ｒに入射し、変調された赤（Ｒ）光のうちＰ偏光成分を画像光として透過し、それ以外の非画像光であるＳ偏光成分を反射する。この画像光は偏光選択素子３２ｒの基板を透過する際に、非点収差を大きく発生した状態となっている。偏光選択素子３２ｒを透過した画像光としての赤（Ｒ）光は、クリーンアップ偏光板３４ｒによって残留するＳ偏光成分が除去され、クロスダイクロイックプリムに入射する。
【００３０】
色分離導光光学系２３で青（Ｂ）光路ＯＰ３に導かれたＳ編光は、偏光選択素子３２ｂで反射され、反射型光変調装置２５ｃを照明する。反射型光変調装置２５ｃでは、画像情報に応じて変調した光を反射する。その後、反射型光変調装置２５ｂで変調された青（Ｂ）光は、再び偏光選択素子３２ｂに入射し、変調された青（Ｂ）光のうちＰ偏光成分を画像光として透過し、それ以外の非画像光であるＳ偏光成分を反射する。この青（Ｂ）光の画像光は赤（Ｒ）光と同様に、偏光選択素子３２ｂの基板を透過する際に、非点収差を大きく発生した状態となっている。偏光選択素子３２ｂを透過した画像光としての青（Ｂ）光は、クリーンアップ偏光板３４ｂによって残留するＳ偏光成分が除去され、クロスダイクロイックプリムに入射する。
【００３１】
色分離導光光学系２３で緑（Ｇ）光路ＯＰ２に導かれたＳ編光は、１／２波長板２６を通過し偏光の振動方向を９０度回転させＰ偏光としたのち、反射型偏光板である偏光選択素子３２ｇを透過し、反射型光変調装置２５ｂを照明する。反射型光変調装置２５ｂでは、画像情報に応じて変調した光を反射する。その後、反射型光変調装置２５ｂで変調された緑（Ｇ）光は、再び偏光選択素子３２ｇに入射し、変調された緑（Ｇ）光のうちＳ偏光成分を画像光として反射し、それ以外の非画像光であるＰ偏光成分を透過する。この緑（Ｇ）光の画像光は赤（Ｒ）光及び青（Ｂ）光と異なり、偏光選択素子３２ｇの基板を透過しないため、非点収差が発生しない状態となっている。偏光選択素子３２ｇを反射した画像光としての緑（Ｇ）光は、クリーンアップ偏光板３４ｇによって残留するＰ偏光成分が除去され、クロスダイクロイックプリムに入射する。
【００３２】
クロスダイクロイックプリズム２７は、光合成部材であり、４つの直角プリズムを貼り合わせた平面視略正方形状をなし、直角プリズム同士を貼り合わせた界面には、Ｘ字状に交差する一対の第１及び第２誘電体多層膜２７ａ，２７ｂが形成されている。一方の第１誘電体多層膜２７ａは赤（Ｒ）光を反射し、他方の第２誘電体多層膜２７ｂは青（Ｂ）光を反射する。このクロスダイクロイックプリズム２７は、反射型光変調装置２５ａからの赤（Ｒ）光を第１誘電体多層膜２７ａで反射して進行方向左側に射出させ、反射型光変調装置２５ｂからの緑（Ｇ）光を第１及び第２誘電体多層膜２７ａ，２７ｂを介して直進・射出させ、反射型光変調装置２５ｃからの青（Ｂ）光を第２誘電体多層膜２７ｂで反射して進行方向右側に射出させる。
【００３３】
ここで、クロスダイクロプリズム２７の各色光に応じた入射面には、上記偏光選択素子３２ｒ，３２ｂにて発生した非点収差を補正する非点収差補正用レンズとしてトロイダルレンズ２８ｒ，２８ｂが配置されているので、このトロイダルレンズ２８ｒ，２８ｂによって、非点収差が良好に補正される。例えば、クロスダイクロイックプリズム２７の赤（Ｒ）光の入射する面にはトロイダルレンズ２８ｒが形成され、青（Ｂ）光の入射する面にはトロイダルレンズ２８ｂが形成されている。
クロスダイクロイックプリズム２７で重ねあわされた赤（Ｒ）光、緑（Ｇ）光及び青（Ｂ）光の画像光は投射レンズ２９へと入射する。
【００３４】
投射レンズ２９は、クロスダイクロイックプリズム２７で合成されたカラーの画像光を、所望の倍率でスクリーン（不図示）上に投射する。つまり、各反射型光変調装置２５ａ〜２５ｃに入力された駆動信号或いは画像信号に対応する所望の倍率のカラー動画やカラー静止画がスクリーン上に投射される。
【００３５】
このとき、赤（Ｒ）光、青（Ｂ）光それぞれに対応して、クロスダイクロイックプリズム２７のトロイダルレンズ２８ｒ，２８ｂの曲率を変化させている。つまり、トロイダルレンズ２８ｒ，２８ｂは、それぞれ違った曲率を持つ。これにより、赤（Ｒ）光及び青（Ｂ）光の画像光の非点収差を補正すると同時に、投射レンズ２９が持っている色収差を補正することが可能となる。
【００３６】
以上のプロジェクター１０においては、赤（Ｒ）光、青（Ｂ）光の画像光は偏光選択素子３２ｒ，３２ｂを透過するので、非点収差は発生するものの、偏光選択素子３２ｒ，３２ｂのガラス基板の反りなどの変形による画素ずれなどへの影響は非常に小さい。一方、緑（Ｇ）光の画像光は偏光選択素子３２ｇを反射するので、非点収差は発生しないため良好な解像度性能を得ることが出来る。
本実施形態によれば、緑（Ｇ）光の画像光を偏光選択素子３２ｇで反射するため、緑（Ｇ）光の画像光に非点収差が全く発生しないことになる。これによって、非点収差補正レンズを使用する他の赤（Ｒ）光及び青（Ｂ）光の画像光に比べて解像度性能が向上する。緑（Ｇ）光は赤（Ｒ）光及び青（Ｂ）光と比較して視感度が強いため、全体的な解像度性能を向上させる効果を得ることが可能となる。
【００３７】
以上実施形態に即して本発明を説明したが、本発明は、上記の実施形態に限られるものではなく、その要旨を逸脱しない範囲において種々の態様において実施することが可能であり、例えば次のような変形も可能である。
本実施形態では、偏光選択素子３２ｒ，３２ｇ，３２ｂとして、ワイヤーグリッド型ＰＢＳ（偏光板）を例として説明したが、それに限定されない。偏光変換素子２ｒ，３２ｇ，３２ｂは、複屈折構造体を設けた平板状の光学素子であり、構造性複屈折を利用した偏光素子を意味する。具体的には、ワイヤーグリッド型ＰＢＳ（偏光板）の他、積層型フォトニック結晶偏光板等を含む。ワイヤーグリッド型ＰＢＳ（偏光板）等は、温度等の使用環境に対して安定性が高く、比較的低コストで信頼性を高めることができる。
【００３８】
本実施形態では、トロイダルレンズ２８ｒ，２８ｂがクロスダイクロイックプリズム２７の入射面に形成されている例で説明したが、それに限定されない。トロイダルレンズ２８ｒ，２８ｂをクロスダイクロイックプリズム２７とは別に形成し、偏光選択素子３２ｒ，３２ｂとクロスダイクロイックプリズム２７との間の対応する光路中にそれぞれ配置させることができる。その場合、トロイダルレンズ２８ｒ，２８ｂとクロスダイクロイックプリズム２７とを離間させて配置させることも出来るし、トロイダルレンズ２８ｒ，２８ｂとクロスダイクロイックプリズム２７とを接着固定させることも出来る。
【００３９】
また、本実施形態では、非点収差補正レンズとして、トロイダルレンズを適用する例で説明したが、それに限定されない。非点収差補正レンズとして、シリンドリカルレンズ。自由曲面レンズ等を適用することも出来る。
【００４０】
また、上記実施形態のプロジェクター１０では、光源装置２１を、光源ランプ２１ａ、凹レンズ２１ｂ、一対のフライアイ光学系２１ｄ，２１ｅ、偏光変換部材２１ｇ、及び重畳レンズ２１ｉで構成したが、フライアイ光学系２１ｄ，２１ｅ、偏光変換部材２１ｇ等については省略することができ、光源ランプ２１ａも、超高圧水銀ランプ、メタルハライドランプ、ＬＥＤ（発光ダイオード）等の別光源に置き換えることができる。
【００４１】
また、上記実施形態のプロジェクター１０では、各色の反射型光変調装置２５ａ，２５ｂ，２５ｃをそれぞれの面内を均一な明るさで照明するようにフライアイ光学系２１ｄ，２１ｅ、と重畳レンズ２１ｉを用いていたが、それらに代わってインテグレータロッド光学系を用いることができる。
【００４２】
上記実施形態のプロジェクター１０は、スクリーンを観察する方向から投射を行なうフロントタイプのプロジェクターのみならず、スクリーンを観察する方向とは反対側から投射を行なうリアタイプのプロジェクターとしても使用できる。
【符号の説明】
【００４３】
１０…プロジェクター、  ２１…光源装置、  ２３…色分離導光光学系、  ２３ａ…クロスダイクロイックミラー、  ２３ｂ…ダイクロイックミラー板、  ２３ｊ，２３ｋ…反射ミラー、  ２５…光変調装置、  ２５ａ，２５ｂ，２５ｃ…反射型光変調装置、  ２７…クロスダイクロイックプリズム、  ２７ａ，２７ｂ…誘電体多層膜、  ２８ｒ，２８ｂ…トロイダルレンズ、  ２９…投射レンズ、  ３１ａ，３１ｂ…ダイクロイックミラー部、  ３２ｒ，３２ｇ，３２ｂ…偏光選択素子、  ３４ｒ，３４ｇ，３４ｂ…クリーンアップ偏光板。
【図１】
2012220598.tif 000003